(57)【要約】【課題】廃家電、特に廃棄された洗濯機の樹脂で成形された洗濯機上部枠体から電装部品等の金属類を除去することで、設備投資や土地の確保等など費用をかけることなく、時間や労力をかけることなく、廃棄された洗濯機の洗濯機上部枠体の再生化処理を行う。【解決手段】廃棄された洗濯機の上部を構成し後部に電装部品等を取付可能な樹脂製の洗濯機上部枠体３３が通過可能な貫通した通路５１を有する廃家電切断装置４７であって、貫通した通路５１の内部に切削歯５４ａの一部が位置する回転刃５４とを備え、貫通した通路５１が上端開口部５１ａから下端開口部５１ｂにかけて所定の角度で下方向に傾斜して設けられ、洗濯機上部枠体３３が上端開口部５１ａから投入されると、切削歯５４ａにより、洗濯機上部枠体３３を後部とその他の部分とに切断した後、それぞれを下端開口部５１ｂより排出する。【選択図】図３
2006321029.tif 000002
【特許請求の範囲】
【請求項１】
廃棄された洗濯機の上部を構成し後部に電装部品等を取付可能な樹脂製の洗濯機上部枠体が通過可能な貫通した通路を有する本体と、前記貫通した通路の内部に切削歯の一部が位置する回転刃とを備え、前記貫通した通路が一方の開口部から他方の開口部にかけて所定の角度で下方向に傾斜して設けられ、前記洗濯機上部枠体が前記一方の開口部から投入されると、前記回転刃の切削歯により、前記洗濯機上部枠体を後部とその他の部分とに切断した後、前記他方の開口部より排出するように構成した廃家電切断装置。
【請求項２】
貫通した通路の開口形状は、前記洗濯機上部枠体の前後方向縦断面形状と略相似形状とした請求項１記載の廃家電切断装置。
【請求項３】
洗濯機上部枠体の後面が、貫通した通路の底面に対応するように構成した請求項１または２に記載の廃家電切断装置。
【請求項４】
回転刃は、回転面が貫通した通路の底面と略平行になるよう構成した請求項３記載の廃家電切断装置。
【請求項５】
貫通した通路の開口形状は、洗濯機上部枠体の上下方向に調整可能な構成とした請求項３または４に記載の廃家電切断装置。
【請求項６】
切断された洗濯機上部枠体が排出される他方の開口部には、前記洗濯機上部枠体の後部とその他の部分とに選別して回収するための選別手段を設けた請求項１〜５のいずれか１項に記載の廃家電切断装置。
【請求項７】
選別手段は、洗濯機上部枠体の後部とその他の部分とが異なる場所に落下するように構成した請求項６記載の廃家電切断装置。
【請求項８】
請求項１〜７のいずれか１項に記載の廃家電切断装置を用いて洗濯機上部枠体を後部とその他の部分に切断し、前記その他の部分を再資源化処理するようにした廃家電再資源化処理方法。
【請求項９】
請求項１〜８のいずれか１項に記載の廃家電切断装置を用いて洗濯機上部枠体を後部とその他の部分に切断し、前記後部をダスト処理するようにした廃家電再資源化処理方法。
【発明の詳細な説明】
【技術分野】
【０００１】
本発明は、廃家電である洗濯機の上部を構成する上部枠体に取り付けられた電装部品等と樹脂部分とに分別する廃家電切断装置およびそれを用いた廃家電再資源化処理方法に関するものである。
【背景技術】
【０００２】
従来、既存リサイクル業者は使用済み家電製品（以下、廃家電という）を、廃家電を丸ごと破砕機にかけて破砕し、その破砕物から樹脂（例えば、ポリプロピレン樹脂）を選別し、再資源化していた（例えば、特許文献１参照）。
【０００３】
図６は、一般的な従来の廃家電再資源化処理装置を示したもので、以下その構成について説明する。
【０００４】
廃家電再資源化処理装置は、破砕物を供給するコンベアー１と、浮沈式水比重選別機２へ破砕物と選別水との混合物を供給する第１の原料供給部３と、浮沈式水比重選別機２から縦型遠心式水比重選別機４に設けた第２の原料供給部５へ、水に浮いた破砕物と選別水との混合物を供給する第１のポンプ６とを設け、縦型遠心式水比重選別機４に設けた第１の回収用配管７から水に沈んだ破砕物と選別水との混合物と、脱水機８の脱水液排出部９から排出される選別水とを、撹拌機１０ａを設けた貯水槽１０と、第２のポンプ１１とを介して、浮沈式水比重選別機２の第１の原料供給部３に循環させる構成としている。
【０００５】
また、浮沈式水比重選別機２は、第１の選別槽１２と、第２の選別槽１３と、第１の選別槽１２に配置した第１のスクリューコンベアー１４と、第２の選別槽１３に配置した第２のスクリューコンベアー１５と、排出部１６に設けたスクリュー式排出装置１７とで構成している。
【０００６】
また、縦型遠心式水比重選別機４は、図７に詳細を示すように、回転ドラム１８は、鉛直方向に回転中心軸を有し、第１の駆動モータ１９によりベルト２０を介して回転数２０００ｒ／ｍｉｎで回転し、この回転ドラム１８の回転中心軸上に、破砕物を供給する第２の原料供給部５を設け、回転ドラム１８の底部側の側壁近傍に下部排出口２１を介して第１の回収用配管７を設けている。
【０００７】
回転ドラム１８の上方部側に下部排出口２１より回転中心軸側に上部排出口２２と、スクリュー式回収機２３と、脱水機８とを設けた回収機構を配置している。スクリュー式回収機２３は、第２の駆動モータ２４により、ベルト２５と駆動シャフト２６とベルト２７を介して回転数２２００ｒ／ｍｉｎで回転し、回転ドラム１８よりも２００ｒ／ｍｉｎ高速で回転する。脱水機８の上部側壁側には、破砕物をブロワー２８で空気搬送する搬送ダクト２９を設けている。
【０００８】
回転ドラム１８の内方に分離水３０を収容し、比重１．０を基準として破砕物を選別するようにしている。
【０００９】
上記構成において動作を説明する。先ず水の流れを説明すると、浮沈式水比重選別機２内の選別水が、排出部１６と第１のポンプ６とを介して、第２の原料供給部５から縦型遠心式水比重選別機４内に供給され、供給された選別水は縦型遠心式水比重選別機４内で略円筒形状の分離水３０を形成し、大部分は下部排出口２１と第１の回収用配管７を介して、また一部の選別水（分離水）は上部排出口２２と脱水機８と脱水液排出部９を介し貯水槽１０に供給される。
【００１０】
貯水槽１０に供給された選別水は第２のポンプ１１によって第１の原料供給部３を介して浮沈式水比重選別機２に循環され、第１の原料供給部３から浮沈式水比重選別機２へ供給された選別水は、排出部１６へ流れ循環する。このとき、使用済み家電製品を破砕し、磁選機で鉄を回収した残部の非鉄類を含む破砕物（樹脂群）が、コンベアー１から第１の原料供給部３に供給され、選別水と混合された状態で浮沈式水比重選別機２に流れ込む。
【００１１】
この破砕物の内、比重の大きな非鉄類ｄと塩化ビニル樹脂ｃは直ちに第１の選別槽１２の底部に沈み第１のスクリューコンベアー１４で回収される。スチレン系樹脂ｂのように、水に沈むが水の比重と近似している樹脂は選別水の流れに流されながら第２の選別槽１３の底部に徐々に沈み第２のスクリューコンベアー１５で回収される。
【００１２】
また、比重が０．９１程度のオレフィン系樹脂（家電製品のオレフィン系樹脂は大部分をポリプロピレン樹脂が占めるので、以降ポリプロピレン樹脂という）ａと、本来、沈むべきスチレン系樹脂ｂの一部と電解コンデンサーのフイルムの一部が撥水性によって水に浮いたものと、連立発泡体のスポンジ類とが、選別水の流れに乗って排出部１６からスクリュー式排出装置１７を介して選別水との混合状態で、第１のポンプ６によって縦型遠心式水比重選別機４の第２の原料供給部５を介して回転ドラム１８内に入る。
【００１３】
このとき、回転ドラム１８は回転数２０００ｒ／ｍｉｎで回転しているので、分離水３０は回転ドラム１８内で略円筒形状に形成され、分離水３０の外周部で約８００Ｇの遠心力が作用し、比重が１．０以上の破砕物は遠心力で回転ドラム１８の側壁側へ移動し、選別水（分離水３０）と水に沈んだ破砕物が混合状態で排出口２１と、第１の回収用配管７とを介して貯水槽１０に供給される。一方、比重が１．０よりも小さいポリプロピレン樹脂ａの破砕物は、分離水３０の回転中心軸側の水面に集まり、排出口２２を介してスクリュー回収機２３によって脱水機８に供給される。
【００１４】
脱水されたポリプロピレン樹脂ａは、ブロワー２８によって搬送ダクト２９より送り出され回収される。脱水された選別水は脱水液排出部９を介して貯水槽１０に供給される。貯水槽１０に供給された選別水と比重が１．０よりも大きな破砕物は、第２のポンプ１１によって第１の原料供給部３に循環され、再び浮沈式水比重選別機２に戻された比重が１．０より大きな破砕物は親水性となっているので第２の選別槽１３に沈降する。
【００１５】
この結果、比重が１．０よりも大きい破砕物の大部分は、浮沈式水比重選別機２で分離回収でき、当初、撥水性があるために、あるいは気泡が付着していたり、スポンジ類のように内部に空気を保持していることによって分離できなかった破砕物は、遠心力のＧで強力に分離させる縦型遠心式水比重選別機４によって、本来、沈むべき破砕物を分離除去したポリプロピレン樹脂ａが回収できるので、マテリアルリサイクルに好適なものが提供できる。
【特許文献１】特開２００２−１９２１３８号公報
【発明の開示】
【発明が解決しようとする課題】
【００１６】
しかしながら、このような従来の廃家電再資源化処理装置は、廃家電を丸ごと破砕機にかけて破砕し、その破砕物から樹脂（例えば、ポリプロピレン樹脂）を選別し、再資源化するので、大規模な機械と広い設置場所と広い作業場所が必要であり、設備投資および土地の確保に莫大な費用を要するものであった。
【００１７】
そこで、その対策として、廃家電からポリプロピレン樹脂で成形された部品のみを抜き取り、その部品を破砕機にかけ、その後溶解し、ペレット状にして、再生材として利用する方法も考えられる。しかし、この方法では、ポリプロピレン樹脂で成形された部品に装着された電装部品等をすべて外さなければならない。
【００１８】
例えば、洗濯機の上部を構成する洗濯機上部枠体などは、その性能上、ポリプロピレン樹脂で成形されている場合が非常に多い。しかし、この洗濯機上部枠体には、その前部に、制御基板等が固定された操作部が装着され、その後部に、洗濯するための水の洗濯槽への供給を制御する電磁給水弁、洗濯する水の水位を検知するための水位検知センサおよび脱水時に洗濯槽の異常な振動を検知する異常振動検知スイッチ等がねじにてねじ止め固定されている。電磁給水弁、水位検知センサおよび異常振動検知スイッチは電装部品であり、金属材料を多く含んでいる。したがって、これらの電装部品を洗濯機上部枠体から取り外す場合、数多くのねじを緩めて取り外さなければならず、このねじ緩め取り外し作業に多大の時間と労力を費やすこととなり、効率的な廃家電再資源化処理ができないものである。
【００１９】
本発明は、上記従来の課題を解決するもので、設備投資や土地の確保等など莫大な費用をかけることなく、また、時間や労力をかけることなく、廃家電、特に廃棄された洗濯機の洗濯機上部枠体の再生化処理を行うための廃家電切断装置および廃家電再資源化処理方法を提供することを目的としている。
【課題を解決するための手段】
【００２０】
前記従来の課題を解決するために、本発明の廃家電切断装置は、廃棄された洗濯機の上部を構成し後部に電装部品等を取付可能な樹脂製の洗濯機上部枠体が通過可能な貫通した通路を有する本体と、前記貫通した通路の内部に切削歯の一部が位置する回転刃とを備え、前記貫通した通路が一方の開口部から他方の開口部にかけて所定の角度で下方向に傾斜して設けられ、前記洗濯機上部枠体が前記一方の開口部から投入されると、前記回転刃の切削歯により、前記洗濯機上部枠体を後部とその他の部分とに切断した後、前記他方の開口部より排出するように構成したものである。
【００２１】
これにより、廃家電、特に廃棄された洗濯機の樹脂で成形された洗濯機上部枠体から電装部品等の金属類を除去することができるので、設備投資や土地の確保等など莫大な費用をかけることなく、また、時間や労力をかけることなく、廃家電、特に廃棄された洗濯機の洗濯機上部枠体の再生化処理を行うことができるものである。
【発明の効果】
【００２２】
本発明の廃家電切断装置は、廃家電、特に廃棄された洗濯機の樹脂で成形された洗濯機上部枠体から電装部品等の金属類を除去することができるので、設備投資や土地の確保等など莫大な費用をかけることなく、また、時間や労力をかけることなく、廃家電、特に廃棄された洗濯機の洗濯機上部枠体の再生化処理を行うことができる。
【発明を実施するための最良の形態】
【００２３】
第１の発明は、廃棄された洗濯機の上部を構成し後部に電装部品等を取付可能な樹脂製の洗濯機上部枠体が通過可能な貫通した通路を有する本体と、前記貫通した通路の内部に切削歯の一部が位置する回転刃とを備え、前記貫通した通路が一方の開口部から他方の開口部にかけて所定の角度で下方向に傾斜して設けられ、前記洗濯機上部枠体が前記一方の開口部から投入されると、前記回転刃の切削歯により、前記洗濯機上部枠体を後部とその他の部分とに切断した後、前記他方の開口部より排出するように構成した廃家電切断装置とすることにより、廃家電、特に廃棄された洗濯機の樹脂で成形された洗濯機上部枠体において、廃家電切断装置の一方の開口部から洗濯機上部枠体を投入するだけで、洗濯機上部枠体から電装部品等の金属類を除去することができるので、設備投資や土地の確保等など莫大な費用をかけることなく、また、時間や労力をかけることなく、廃家電、特に廃棄された洗濯機の洗濯機上部枠体の再生化処理のための前行程を行うことができる。
【００２４】
第２の発明は、上記第１の発明において、貫通した通路の開口形状は、前記洗濯機上部枠体の前後方向縦断面形状と略相似形状としたことにより、一方の開口部から投入された洗濯機上部枠体が貫通した通路を滑り落ちる際、がたつくことなく、確実に貫通した通路の壁面で保持された状態で滑り落ち、回転刃の切削歯が洗濯機上部枠体を切断する際にも、安定した状態で切断することができる。
【００２５】
第３の発明は、上記第１または第２の発明において、洗濯機上部枠体の後面が、貫通した通路の底面に対応するように構成したことにより、一方の開口部から投入された洗濯機上部枠体が貫通した通路を滑り落ちる際、比較的平坦な面で、かつ比較的少ない接触面積であるので、貫通した通路の底面上を円滑に滑り落ちるので、回転刃の切削歯が洗濯機上部枠体を切断する際にも、安定した状態で切断することができる。
【００２６】
第４の発明は、上記第３の発明において、回転刃は、回転面が貫通した通路の底面と略平行になるよう構成したことにより、一方の開口部から投入された洗濯機上部枠体を回転刃の切削歯が切断する際にも、洗濯機上部枠体が移動する面と回転刃の回転面とを略平行にできるので、円滑に安定した状態で切断することができる。
【００２７】
第５の発明は、上記第３または第４の発明において、貫通した通路の開口形状は、洗濯機上部枠体の上下方向に調整可能な構成としたことにより、洗濯機の種類（メーカー、機種、洗濯の容量等）によって、洗濯機上部枠体の大きさ、高さが異なり、その異なった高さに対応して調整できるので、洗濯機上部枠体が貫通した通路を滑り落ちる際、がたつくことなく、確実に貫通した通路の壁面で洗濯機上部枠体の上面および底面が保持された状態で滑り落ち、回転刃の切削歯が洗濯機上部枠体を切断する際にも、安定した状態で切断することができる。
【００２８】
第６の発明は、上記第１〜５のいずれか１つの発明において、切断された洗濯機上部枠体が排出される他方の開口部には、前記洗濯機上部枠体の後部とその他の部分とに選別して回収するための選別手段を設けたことにより、切断された後のものを選別する作業を省くことができるので、効率的な回収をすることができる。
【００２９】
第７の発明は、上記第６の発明において、選別手段は、洗濯機上部枠体の後部とその他の部分とが異なる場所に落下するように構成したことにより、落下地点にそれぞれ回収箱を置くだけで、選別して回収することができるので、さらに効率的な回収をすることができる。
【００３０】
第８の発明は、上記第１〜７のいずれか１つの発明の廃家電切断装置を用いて洗濯機上部枠体を後部とその他の部分に切断し、前記その他の部分を再資源化処理するようにしたことにより、設備投資や土地の確保等など莫大な費用をかけることなく、また、時間や労力をかけることなく、廃家電、特に廃棄された洗濯機の洗濯機上部枠体の再生化処理を行うことができる。
【００３１】
第９の発明は、上記第１〜８のいずれか１つの発明の廃家電切断装置を用いて洗濯機上部枠体を後部とその他の部分に切断し、前記後部をダスト処理するようにしたことにより、設備投資や土地の確保等など莫大な費用をかけることなく、また、時間や労力をかけることなく、廃家電、特に廃棄された洗濯機の洗濯機上部枠体の再生化処理を行うことができる。
【００３２】
以下、本発明の実施の形態について、図面を参照しながら説明する。なお、この実施の形態によって本発明が限定されるものではない。
【００３３】
（実施の形態１）
図１は、本発明の実施の形態１における廃棄された洗濯機の上部の分解斜視図である。
【００３４】
図１において、洗濯槽３１は、洗濯機枠体３２の内部に支持されており、この洗濯機枠体３２の上部にポリプロピレン樹脂で成形された洗濯機上部枠体３３が装着されている。洗濯機上部枠体３３の略中央部には衣類投入口３４が形成され、樹脂で成形された蓋（図示せず）で覆われている。また、洗濯機上部枠体３３の後部には、電装部品等収納部３５が設けられ、この電装部品等収納部３５内に、電磁給水弁３６、吸水ポンプ３７、注水部材３８、異常振動検知スイッチ３９および水位検知センサ４０がそれぞれ直接ねじ４１や爪嵌合等で取り付けられ、その上を樹脂で成形された後方パネル部材４２が覆っている。
【００３５】
また、洗濯機上部枠体３３の前部には、プリント基板収納部４３が形成され、このプリント基板収納部４３を上方より覆設し、かつボタン４４を有する樹脂で成形された前方パネル部材４５が設けられ、この前方パネル部材４５の裏面にはスイッチ等を有する操作用プリント基板４６が装着されている。
【００３６】
上記のような洗濯機が廃棄されると、リサイクル業者は、まず、洗濯機枠体３２から洗濯機上部枠体３３を取り外す。その後、その取り外された洗濯機上部枠体３３から、操作用プリント基板４６が装着された前方パネル部材４５を取り外すとともに、後方パネル部材４２および蓋（図示せず）を取り外す。この後方パネル部材４２および蓋（図示せず）は、それぞれの樹脂の種類に応じて後述する再資源化処理を行う。
【００３７】
前方パネル部材４５、後方パネル部材４２および蓋（図示せず）が取り外された洗濯機上部枠体３３は、廃家電切断装置により、電装部品等収納部３５を含む洗濯機上部枠体後部３３ａとそれ以外の部分である洗濯機上部枠体前部３３ｂとに切断される。以下、図２〜図４を用いて、廃家電切断装置を説明する。
【００３８】
図２は、廃家電切断装置の全体斜視図、図３は廃家電切断装置の縦断面図、図４は、廃家電切断装置の傾斜断面図である。
【００３９】
図２において、廃家電切断装置４７の機台４８の上面を構成する機台上面４８ａは、所定の角度α（例えば、４５°）傾斜している。この傾斜した機台上面４８ａ上には、この傾斜した機台上面４８ａに対し略垂直に固定壁部４９が固定して設けられ、この固定壁部４９と略平行に移動壁部５０が矢印Ａ方向にスライド自在に設けられている。固定壁部４９と移動壁部５０の間隔は、移動壁部５０をスライドして調整することにより、任意に設定できる。これは、洗濯機の種類（メーカー、機種、洗濯の容量等）によって、洗濯機上部枠体３３の大きさ、高さが異なり、その異なった高さに対応するためのものである。
【００４０】
また、移動壁部５０の上端部には、固定壁部４９の上端を覆うように移動壁部５０に対し略直角方向に突出した移動壁庇部５０ａを設け、下部には、固定壁部４９に対し離れる方向に突出した移動壁凸部５０ｂを設けている。これによって、機台上面４８ａと固定壁部４９と移動壁部５０と移動壁凸部５０ｂと移動壁庇部５０ａとにより囲まれた貫通した通路５１が形成されている。この貫通した通路５１の開口形状は、洗濯機上部枠体３３の前後方向縦断面形状と略相似形状となるようにしている。また、この貫通した通路５１の上方端には、上端開口部（一方の開口部）５１ａが形成され、下方端には、下端開口部（他方の開口部）５１ｂが形成されている。
【００４１】
また、下端開口部５１ｂの近傍には、固定壁部４９の外面で上部側に、固定壁部４９側から移動壁部５０側へ弓状に湾曲した２本の選別アーム（選別手段）５２を傾斜した機台上面４８ａと略平行に設けている。
【００４２】
貫通した通路５１の固定壁部４９の外側には、隣接して保護カバー５３が設けられており、その内部に設けられた回転刃５４および回転駆動モータ５５を覆っている。
【００４３】
図３は、廃家電切断装置の保護カバー５３を外した状態での回転刃５４近傍の縦断面図、図４は、廃家電切断装置の保護カバー５３を外した状態で回転刃５４近傍を上面４８ａに平行な平面で切断したときの断面図である。
【００４４】
回転駆動モータ５５は、機台４８に取り付けられ固定されており、その回転駆動モータ５５には、機台上面４８ａに垂直に回転軸５５ａが回転可能に突設されている。その回転軸５５ａの先端部には、回転刃５４が取り付けられ固定されている。回転刃５４の外周縁には、のこぎり歯状の切断歯５４ａが形成され、所定の外径寸法（例えば、３００ｍｍ）を有している。
【００４５】
固定壁部４９には、固定壁部４９の外側から貫通した通路５１内に回転刃５４が挿入され得るように、回転刃５４の対応位置に、スリット状に開けられた第１の貫通孔５６が設けられ、移動壁部５０には、その第１の貫通孔５６の対応位置に、スリット状に開けられた第２の貫通孔５７が設けられている。回転刃５４は、その一部分が、第１の貫通孔５６から挿入され、貫通した通路５１を横断し、第２の貫通孔５７まで達している。
【００４６】
回転駆動モータ５５は、回転刃５４の切断歯５４ａが、貫通した通路５１内において、下端開口部５１ｂから上端開口部５１ａ方向に移動するように、所定の回転速度（例えば、２９００ｒ／ｍｉｎ）で回転する。また、回転刃５４と貫通した通路５１の底面を形成する機台上面４８ａとの直角方向の間隔寸法は、洗濯機上部枠体３３の後面３３ｃから電装部品等収納部３５の前端部付近までの寸法と、略同等となるように設定している。
【００４７】
また、下端開口部５１ｂの下方には、洗濯機上部枠体３３の洗濯機上部枠体後部３３ａの部分が回収される第１の回収箱５８が設置されており、選別アーム５２の先端部の下方近辺には、洗濯機上部枠体３３の洗濯機上部枠体前部３３ｂが回収される第２の回収箱５９が設置されている。
【００４８】
以上のように構成した廃家電切断装置４７について、その動作、作用を説明する。
【００４９】
まず、リサイクル業者は、回転駆動モータ５５を駆動させ、その後、操作用プリント基板４６が装着された前方パネル部材４５、後方パネル部材４２および蓋（図示せず）が取り外された洗濯機上部枠体３３の後面３３ｃを下にし、移動壁凸部５０ｂ側に電装部品等収納部３５の上面側が対向するように立てた状態にして、矢印Ｂのように、上端開口部５１ａから投入する。このとき、移動壁凸部５０ｂ側に電装部品等収納部３５の上面側が対向するようにしているので、電装部品等収納部３５に洗濯機上部枠体３３の上面より高さの高い電装部品があったとしても、その電装部品が、移動壁部５０の内面に当たってしまい、上端開口部５１ａから投入できないといった問題を回避することができるものである。
【００５０】
投入された洗濯機上部枠体３３は、その後面３３ｃが貫通した通路５１の底面４８ａを滑り、貫通した通路５１内において回転刃５４の切断歯５４ａまで到達する。このとき、回転刃５４は、所定の回転速度で回転しているので、切断歯５４ａは、洗濯機上部枠体３３の電装部品等収納部３５の前端部付近の側壁に入り込む。洗濯機上部枠体３３は、自重にて下端開口部５１ｂ方向へ移動するため、切断歯５４ａが洗濯機上部枠体３３を横断することとなり、洗濯機上部枠体３３は、洗濯機上部枠体後部３３ａと洗濯機上部枠体前部３３ｂとに分断される。
【００５１】
ここで、貫通した通路５１の開口形状は、洗濯機上部枠体３３の前後方向縦断面形状と略相似形状で所定量大きくなるように設定しており、洗濯機上部枠体３３が、自重にて下端開口部５１ｂ方向へ移動する際、および切断歯５４ａが洗濯機上部枠体３３を切断する際にも、洗濯機上部枠体３３が、がたついたり、ゆがんだりすることなく、円滑な上記動作を実行することができるものである。
【００５２】
その後、洗濯機上部枠体後部３３ａと洗濯機上部枠体前部３３ｂとは、共に下端開口部５１ｂに向けて滑り落ちる。下端開口部５１ｂに達した洗濯機上部枠体後部３３ａと洗濯機上部枠体前部３３ｂとは、下端開口部５１ｂから下方に落下することとなる。このとき、洗濯機上部枠体後部３３ａは、矢印Ｃのように、下端開口部５１ｂからそのまま下方に落下し、一方、洗濯機上部枠体前部３３ｂについては、下端開口部５１ｂに固定壁部４９側から移動壁部５０側へ弓状に湾曲した２本の選別アーム５２が設けてあるので、矢印Ｄのように、落下の方向がその弓状の湾曲面に沿って選別アーム５２の先端部方向へ変動され、選別アーム５２の先端部から落下する。このとき、選別アーム５２は、２本が傾斜した機台上面４８ａに対し平行に設けられているので、２本の選別アーム５２を結ぶ仮想面も所定の角度β（β＝９０°−α）（例えば、４５°）傾斜することとなり、下方に落下することなく、その仮想面上を移動し、その仮想面の先端部から落下することとなる。
【００５３】
このようにして、電装部品等が取り付けられたままの洗濯機上部枠体後部３３ａは、矢印Ｃのように、下端開口部５１ｂの下方に設置された第１の回収箱５８に回収され、ポリプロピレン樹脂のみで成形された洗濯機上部枠体前部３３ｂは、矢印Ｄのように、選別アーム５２の先端部の下方近辺に設置された第２の回収箱５９に回収される。
【００５４】
その後、リサイクル業者は、第２の回収箱５９に回収されたポリプロピレン樹脂のみで成形された洗濯機上部枠体前部３３ｂについても、予め取り外したポリプロピレン樹脂製の後方パネル部材４２および蓋（図示せず）と同様に、再資源化処理を行う。
【００５５】
以下、図５を用いて、再資源化処理について説明する。
【００５６】
図５は、再資源化処理の行程を表すフローチャートである。回収された洗濯機上部枠体前部３３ｂは、ステップ１００でストックヤードに保管される。洗濯機上部枠体前部３３ｂは、ステップ１０１で、供給装置に供給される。供給装置に供給された洗濯機上部枠体前部３３ｂは、ステップ１０２で破砕機にて、細かく破砕され、破砕物となる。
【００５７】
この破砕物は、ステップ１０３にて磁気選別機にかけられる。この磁気選別機は、破砕物に付着した細かい鉄６１を磁石にて取り除くものである。取り除かれた鉄６１は、ダストとして管理型埋め立て地に埋め立てられたりする。
【００５８】
次に、細かい鉄６１が取り除かれた破砕物は、ステップ１０４にて風力選別機にかけられる。この風力選別機は、破砕物に付着したダスト６２を風力にて取り除くものである。取り除かれたダスト６２は、鉄６１と同様に管理型埋め立て地に埋め立てられたり、焼却処分されたりする。
【００５９】
以上のようにして、鉄６１やダスト６２が取り除かれた破砕物は、ほぼポリプロピレン樹脂のみとなる。このポリプロピレン樹脂のみとなった破砕物は、ステップ１０５にて、溶解炉に入れられ、溶解され、その後、ステップ１０６にて、ペレット化装置にかけられることで、ポリプロピレン樹脂のペレット６３となる。
【００６０】
以降、このポリプロピレン樹脂ペレット６３は、再生ポリプロピレン樹脂ペレットとして、新しい部品の成形に使用される。
【００６１】
一方、電装部品等が取り付けられたままの洗濯機上部枠体後部３３ａは、鉄６１やダスト６２と同様に管理型埋め立て地に埋め立てられたり、焼却処分されたりする。このとき、洗濯機上部枠体後部３３ａのポリプロピレン樹脂での成形部分も処分されるが、上記したように、洗濯機上部枠体後部３３ａのポリプロピレン樹脂での成形部分を処分したとしても、電装部品を取り外す場合の数多くのねじを緩める作業にかかる多大の時間と労力とに比べると、再資源化処理の作業を大幅に効率化することができるものである。
【００６２】
以上のように、本発明の実施の形態１の構成によれば、廃家電、特に廃棄された洗濯機の樹脂で成形された洗濯機上部枠体３３において、廃家電切断装置４７の上端開口部５１ａから洗濯機上部枠体３３を投入するだけで、簡単に、洗濯機上部枠体３３から電装部品等の金属類を除去することができるので、設備投資や土地の確保等など莫大な費用をかけることなく、また、時間や労力をかけることなく、廃家電、特に廃棄された洗濯機の洗濯機上部枠体３３の再生化処理のための前行程を行うことができる。
【００６３】
また、電装部品等が取り付けられたままの洗濯機上部枠体後部３３ａは、下端開口部５１ｂの下方に設置された第１の回収箱５８に回収され、一方、ポリプロピレン樹脂のみで成形された洗濯機上部枠体前部３３ｂは、選別アーム５２の先端部の下方近辺に設置された第２の回収箱５９に回収されるので、洗濯機上部枠体３３の切断後、リサイクル業者が手作業で、洗濯機上部枠体後部３３ａと洗濯機上部枠体前部３３ｂとを分ける必要がなく、無駄な作業を削減することができ、作業の効率化を図ることができる。
【００６４】
また、洗濯機上部枠体３３の投影面積の狭い後面３３ｃが、貫通した通路５１の底面４８ａに対応するように、洗濯機上部枠体３３を立てるようにしてセットして切断しているので、洗濯機上部枠体３３の投影面積の広い上面あるいは下面が、貫通した通路５１の底面４８ａに対応するように、洗濯機上部枠体３３を寝かせるようにしてセットして切断する場合に比較して、狭いスペースで作業を行うことができる。
【００６５】
そして、設備投資や土地の確保等など莫大な費用をかけることなく、また、時間や労力をかけることなく、廃家電、特に廃棄された洗濯機の洗濯機上部枠体の再生化処理を行うことができる。
【００６６】
なお、回転刃５４の高さ方向の位置は、洗濯機上部枠体３３の後面３３ｃから電装部品等収納部３５の前端部付近までの寸法と、略同等となるように設定したが、洗濯機の種類（メーカー、機種、洗濯の容量等）によって、洗濯機上部枠体３３の大きさ、高さが異なり、電装部品等収納部３５の前端部の位置も異なってくるので、スリット状に開けられた第１の貫通孔５６およびスリット状に開けられた第２の貫通孔５７の高さ方向への幅を大きくするとともに、回転刃５４の高さ方向の位置を上下方向に高さ調整できるようにしてもよい。
【００６７】
また、貫通した通路５１の開口形状は、洗濯機上部枠体３３の前後方向縦断面形状と略相似形状となるようにしたが、洗濯機上部枠体３３が、自重にて下端開口部５１ｂ方向へ移動する際、および切断歯５４ａが洗濯機上部枠体３３を切断する際にも、洗濯機上部枠体３３が、がたついたり、ゆがんだりすることなく、円滑な上記動作を実行することができできれば、上記のように略相似形状でなくでも、移動壁部５０の位置を矢印Ａ方向に調整することにより、固定壁部４９と移動壁部５０の間隔寸法が、洗濯機上部枠体３３の高さ寸法より所定の寸法分大きくなるように設定してもよい。
【産業上の利用可能性】
【００６８】
以上のように、本発明にかかる廃家電切断装置は、廃家電、特に廃棄された洗濯機の樹脂で成形された洗濯機上部枠体から電装部品等の金属類を除去することが可能となるので、洗濯機の他、樹脂で成形された部品上に電装部品等の金属類が装着された部品を有する廃家電の廃家電切断装置等として有用である。
【図面の簡単な説明】
【００６９】
【図１】本発明の実施の形態１における廃棄された洗濯機の上部の分解斜視図
【図２】同廃家電切断装置の全体斜視図
【図３】同廃家電切断装置の縦断面図
【図４】同廃家電切断装置の傾斜断面図
【図５】同再資源化処理の行程を表すフローチャート
【図６】従来の廃家電再資源化処理装置を示す図
【図７】同廃家電再資源化処理装置の縦型遠心式水比重選別機を示す図
【符号の説明】
【００７０】
３３  洗濯機上部枠体
４７  廃家電切断装置（本体）
５１  貫通した通路
５１ａ  上端開口部（一方の開口部）
５１ｂ  下端開口部（他方の開口部）
５４  回転刃
５４ａ  切削歯
【図１】
2006321029.tif 000003
【図２】
2006321029.tif 000004
【図３】
2006321029.tif 000005
【図４】
2006321029.tif 000006
【図５】
2006321029.tif 000007
【図６】
2006321029.tif 000008
【図７】
2006321029.tif 000009